(57)【特許請求の範囲】
【請求項１】
原映像データと該原映像データにおける所望の部分に所望の編集の種類で編集を施すための編集コードを集めた編集データとを備えて編集後の映像データを生成する編集装置において、
少なくとも前記所望の編集の種類を予め標準として規定されている標準編集の種類に対応させる１次変換表を前記編集後の映像データに付加する１次変換表付加手段を備えること
を特徴とする編集装置。
【請求項２】
原映像データと、該原映像データにおける所望の部分に所望の編集の種類で編集を施すための編集コードを集めた編集データと、少なくとも前記所望の編集の種類を予め標準として規定されている標準編集の種類に対応させる１次変換表とを記録した記録媒体から各データを読み込んで編集を施して映像データを再生する再生装置において、
前記１次変換表を格納する１次変換表格納手段と、
前記標準編集の種類を、実装している実装編集の種類のうちの何れかに対応させる２次変換表を格納する２次変換表格納手段と、
編集コードの編集の種類が実装されていない場合に前記１次変換表格納手段の１次変換表を参照することによって該編集コードの編集の種類に対応する標準編集の種類に１次変換編集種類として変換する１次変換手段と、
前記１次変換手段によって変換された１次変換編集種類が実装されていない場合に前記２次変換表格納手段の２次変換表を参照することによって該１次変換編集種類に対応する実装編集の種類に２次変換編集種類として変換する２次変換手段とを備え、
実装されている編集の種類に応じて前記編集コードの編集の種類、前記１次変換編集種類および前記２次変換編集種類のうちの何れかで前記原映像データを編集して再生すること
を特徴とする再生装置。
【請求項３】
前記２次変換表は、前記標準編集の種類を概念の広さに基づいて階層的に分類して階層構造で作成され、
前記２次変換手段は、前記１次変換編集種類を２次変換する際に前記２次変換表に対応する実装編集の種類がない場合には前記１次変換編集種類の上位階層の１次変換編集種類で２次変換すること
を特徴とする請求項２に記載の再生装置。
【請求項４】
原映像データと、
該原映像データにおける所望の部分に所望の編集の種類で編集を施すための編集コードを集めた編集データと、
少なくとも前記所望の編集の種類を予め標準として規定されている標準編集の種類に対応させる１次変換表と
を記録した記録媒体。
【発明の詳細な説明】
【０００１】
【発明の属する技術分野】
本発明は、再生装置の機能を一杯に使って特殊効果を再生することができる編集装置、再生装置および記録媒体に関する。
【０００２】
【従来の技術】
映像コンテンツの制作では、複数の情報を提供したり、画面転換に変化を持たせたり、画面上でのプライバシーを保護したりするために、特殊効果が使用される。この特殊効果を施す編集は、特殊効果を施した後の映像信号を記録媒体に記録する方法と、原映像信号をそのまま記録する一方で特殊効果の処理手順をも記録してしまい、再生時にその特殊効果の処理手順に従って原映像信号を処理することで特殊効果を再現する方法とがある。後者は、特に、非破壊編集と呼ばれ、ＱｕｉｃｋＴｉｍｅ（クイック・タイム、以下、「ＱＴ」と略記する。）などのアプリケーション・ソフトウェアを用いて編集することができる。ＱＴは、各種データを時間軸に沿って管理するソフトウェアであり、特殊なハードウェアを用いずに動画や音声やテキストなどを同期して再生するためのＯＳ拡張機能である。
【０００３】
ＱＴのファイルにおいて、基本的なデータユニットは、アトム（ａｔｏｍ）と呼ばれ、各アトムは、そのデータとともに、サイズ及びタイプ情報を含んでいる。また、ＱＴでは、データの最小単位がサンプルとして扱われ、サンプルの集合としてチャンクが定義される。リソース・アトムは、そのファイルを再生するために必要な情報や実データを参照するために必要な情報を格納する部分である。データ・アトムは、ビデオやオーディオなどの実データを格納する部分である。ＱＴは、例えば、「ＩＮＳＩＤＥ    ＭＡＣＩＮＴＯＳＨ  ：ＱｕｉｃｋＴｉｍｅ（日本語版）（アジソンウエスレス）」などに開示されている。
【０００４】
ＱＴを用いた非破壊編集では、画像に対する特殊効果だけでなく、文字やグラフィックスのスーパーインポーズもＱＴのファイル形式で同様に記述することができる。すなわち、特殊効果の種類、開始時間、終了時間および特殊効果を加える映像のＩＤなどがＱＴのファイル形式で記録媒体に記録され、再生時には、指定された時間に、指定された映像に対して、指定された種類の特殊効果を行ってから表示装置に表示させることで、編集者が編集において加えたのと同じ特殊効果を伴った映像を再生することができる。
【０００５】
【発明が解決しようとする課題】
ところで、特殊効果や文字のフォントは、実に多くの種類があるため、実装している特殊効果の種類が再生装置の機種間で異なるという問題がある。すなわち、記録媒体を或る機種で再生した場合には、編集者が意図した特殊効果や文字のフォントを伴って映像が再生されるが、別の機種で再生した場合には、編集者の意図した通りに映像が再生されないという問題である。さらに、機種が認識できない特殊効果や文字のフォントである場合には、特殊効果などが施されないで再生されてしまうという問題もある。
【０００６】
特に、近年では、映像コンテンツは、ＬＤ、ビデオＣＤおよびＤＶＤなどのディスクメディアやメモリーカードなど多種多様な記録媒体によって提供され、さらに、ネットワークを介しても提供されるため、機種によって特殊効果や文字のフォントが再生されないというこの問題は、重要である。
【０００７】
この問題を解決するために、特殊効果や文字のフォントを標準化してそのうちのいくつかを必須項目とするという方法が考えられる。しかし、この方法では、必須項目以外の特殊効果や文字のフォントを含む高機能な再生装置があったとしても、必須項目を使用して編集された映像コンテンツが一般的となり、結局、その高機能が使用されないという問題が予想される。
【０００８】
一方、編集者がいくつかの機種を想定して各機種に合った編集をする方法も考えられる。しかし、この場合には、同じ映像タイトルであるにも拘わらず機種別に複数の編集済み映像コンテンツが存在することになり、配布や流通にコストがかかるという問題がある。あるいは、大きなシェアを持つ機種向けの編集済み映像コンテンツだけが流通して、それ以外は、あまり流通しないという問題が予想される。
【０００９】
そこで、本発明では、再生装置の機能を一杯に使って特殊効果を再生することができる編集装置、再生装置および記録媒体を提供することを目的とする。
【００１０】
【課題を解決するための手段】
本発明の第１の手段では、原映像データと該原映像データにおける所望の部分に所望の編集の種類で編集を施すための編集コードを集めた編集データとを備えて編集後の映像データを生成する編集装置は、少なくとも前記所望の編集の種類を予め標準として規定されている標準編集の種類に対応させる１次変換表を前記編集後の映像データに付加する１次変換表付加手段を備えて構成される。
【００１１】
このような編集装置では、共通規格として標準化された標準編集の種類に編集コードを変換する１次変換表を編集後の映像データに備えさせるので、編集後の映像データを再生する再生装置が実装する編集の種類を考慮することなく様々な編集の種類を用いて原映像データを編集することができる。
【００１２】
また、再生装置の機種の違いに応じて編集後の映像データを作成する必要もない。このため、編集後の映像データの配布や流通にかかるコストを低減することができる。
【００１３】
本発明の第２の手段では、原映像データと、該原映像データにおける所望の部分に所望の編集の種類で編集を施すための編集コードを集めた編集データと、少なくとも前記所望の編集の種類を予め標準として規定されている標準編集の種類に対応させる１次変換表とを記録した記録媒体から各データを読み込んで編集を施して映像データを再生する再生装置は、前記１次変換表を格納する１次変換表格納手段と、前記標準編集の種類を、実装している実装編集の種類のうちの何れかに対応させる２次変換表を格納する２次変換表格納手段と、編集コードの編集の種類が実装されていない場合に前記１次変換表格納手段の１次変換表を参照することによって該編集コードの編集の種類に対応する標準編集の種類に１次変換編集種類として変換する１次変換手段と、前記１次変換手段によって変換された１次変換編集種類が実装されていない場合に前記２次変換表格納手段の２次変換表を参照することによって該１次変換編集種類に対応する実装編集の種類に２次変換編集種類として変換する２次変換手段とを備え、実装されている編集の種類に応じて前記編集コードの編集の種類、前記１次変換編集種類および前記２次変換編集種類のうちの何れかで前記原映像データを編集して再生することで構成される。
【００１４】
本発明の第３の手段では、第２の手段の再生装置において、前記２次変換表は、前記標準編集の種類を概念の広さに基づいて階層的に分類して階層構造で作成され、前記２次変換手段は、前記１次変換編集種類を２次変換する際に前記２次変換表に対応する実装編集の種類がない場合には前記１次変換編集種類の上位階層の１次変換編集種類で２次変換することで構成される。
【００１５】
このような再生装置では、編集者が当初意図した編集の種類が再生装置に実装されていない場合でも１次変換表を用いて標準編集の種類に変換することができる。さらに、１次変換した標準編集の種類が再生装置に実装されていない場合でも２次変換表を用いて実装されている実装編集の種類に２次変換することができる。このため、再生装置にはあらゆる編集の種類は言うに及ばず標準編集の種類さえも実装する必要がなく、実装編集の種類を柔軟に任意に決めることができる。
【００１６】
本発明の第４の手段は、原映像データと、該原映像データにおける所望の部分に所望の編集の種類で編集を施すための編集コードを集めた編集データと、少なくとも前記所望の編集の種類を予め標準として規定されている標準編集の種類に対応させる１次変換表とを記録した記録媒体である。
【００１７】
【発明の実施の形態】
以下、図面に基づいて本発明の実施の形態について説明する。なお、各図において同一の構成については、同一の符号を付しその説明を省略する。
（第１の実施形態）
図１は、第１の実施形態における編集装置の構成を示すブロック図である。
【００１８】
図１において、編集装置は、データ入力部１１、入力データ格納部１２、画像再生部１３、再生条件設定部１４、データ編集部１５、編集データ格納部１６、切替装置部１７、操作部１８、１次変換表付加処理部１９、データ出力部２０、１次変換表編集部２１、１次変換表格納部２２および１次変換表表示部２３を備えて構成される。
【００１９】
操作部１８は、所望する操作をユーザが入力する部分であり、例えば、マウスやキーボードなどのユーザインターフェースである。操作部１８は、データ入力部１１、画像再生部１３、再生条件設定部１４、データ編集部１５、切替装置部１７、１次変換表付加処理部１９、データ出力部２０および１次変換表編集部２１にそれぞれ接続される。
【００２０】
切替装置１７は、操作部１８の操作対象となる各部を切り替える装置であり、画像再生部１３、データ編集部１５、１次変換表付加処理部１９および１次変換表編集部２１にそれぞれ接続される。
【００２１】
データ入力部１１は、外部からデータが入力される部分であり、入力データ格納部１２および１次変換表格納部２２に接続する。
【００２２】
入力データ格納部１２は、入力データを記憶する記憶手段、例えばＲＡＭ（Ｒａｎｄｏｍ−ａｃｃｅｓｓ−ｍｅｍｏｒｙ）であり、少なくとも編集に必要な記憶容量を備える。例えば、２個の画像を重ね合わせる特殊効果を施す場合には、これら２個の画像の画像データを各々記憶する容量を少なくとも備える。入力データ格納部１２は、データ編集部１５、編集データ格納部１６および画像再生部１３に接続される。
【００２３】
データ編集部１５は、入力データ格納部１２の画像データまたは編集データ格納部１６の画像データに対して、特殊効果を施すなど各種編集を行う。データ編集部１５は、編集データ格納部１６に接続される。
【００２４】
編集データ格納部１６は、編集結果を格納する記憶手段、例えばＲＡＭである。編集データ格納部１６は、１次変換表付加処理部１９、画像再生部１３、データ出力部２０に接続される。
【００２５】
１次変換表編集部２１は、１次変換表格納部２２に格納されるデータにアクセスしながら、操作部１８の操作に従って１次変換表を作成し、またその内容を変更する。１次変換表編集部２１は、１次変換表格納部２２に接続される。
【００２６】
１次変換表格納部２２は、１次変換表を格納する記憶手段、例えばＲＡＭである。１次変換表格納部２２は、１次変換表付加処理部１９および１次変換表表示部２３に接続される。
【００２７】
ここで、１次変換表について説明する。
【００２８】
図２は、標準ワイプの一例を示す図である。
【００２９】
図３は、第１の実施形態における１次変換表の一例を示す図である。
【００３０】
標準特殊効果とは、特殊効果を施す各種編集装置および特殊効果を施された画像データを再生する各種再生装置において、編集者の指定する特殊効果をどのような特殊効果であるか判別することができる特殊効果として標準化された特殊効果である。したがって、編集装置は、必ずしも編集者が指定した特殊効果の通りに特殊効果を実行することができなくてもよい。この場合には後述のように、編集装置は、１次変換表に従って編集者の指定した特殊効果を代替する特殊効果を実行すればよい。一方、再生装置も必ずしも編集者が指定した特殊効果の通りに特殊効果を施すことができなくてもよい。この場合には後述のように、再生装置は、変換表に従って編集者の指定した特殊効果を代替する特殊効果を施せばよい。代替は、１次変換表および２次変換表に従って行われる。
【００３１】
図２は、このような標準特殊効果のうちのワイプ（Ｗｉｐｅ）に関する部分である。図２は、左から、種類、トランジッションタイプ（Ｔｒａｎｓｉｔｉｏｎ  Ｔｙｐｅ）、トランジッションサブタイプ（Ｔｒａｎｓｉｔｉｏｎ  Ｓｕｂｔｙｐｅ）およびワイプコード（Ｗｉｐｅ  ｃｏｄｅ）の各欄を備えて構成される。種類、トランジッションタイプおよびトランジッションサブタイプは、標準ワイプの階層的な分類であり、この中で種類が上位概念であり、トランジッションタイプが中位概念であり、トランジッションサブタイプが下位概念である。ワイプコードは、各トランジッションサブタイプに対応する識別記号である。
【００３２】
第１の実施形態では、標準ワイプは、レフトトゥライト（ＬｅｆｔＴｏＲｉｇｈｔ）、トップトゥボトム（ＴｏｐＴｏＢｏｔｔｏｍ）、トップレフト（ＴｏｐＬｅｆｔ）、トップライト（ＴｏｐＲｉｇｈｔ）、ボトムレフト（ＢｏｔｔｏｍＬｅｆｔ）、ボトムライト（ｂｏｔｔｏｍＲｉｇｈｔ）、レクトアングル（Ｒｅｃｔａｎｇｌｅ）およびダイヤモンド（Ｄｉａｍｏｎｄ）である。各標準ワイプに対してワイプコードが割り当てられ、レフトトゥライトには１が、トップトゥボトムには２が、トップレフトには３が、トップライトには４が、ボトムレフトには５が、ボトムライトには６が、レクトアングルには１０１が、そしてダイヤモンドには１０２が割り当てられる。ワイプコードが非破壊編集において特殊効果を指定するデータとして画像データに付加される。また、各標準ワイプの種類は、トランジッション（Ｔｒａｎｓｉｔｉｏｎ）であり、レフトトゥライトおよびトップトゥボトムのトランジッションタイプはバーワイプ（ＢａｒＷｉｐｅ）であり、トップレフト、トップライト、ボトムレフトおよびボトムライトは、ボックスワイプ（ＢｏｘＷｉｐｅ）であり、レクトアングルおよびダイヤモンドは、アイリスワイプ（ＩｒｉｓＷｉｐｅ）である。
【００３３】
なお、図２は、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ
）  ２５８Ｍ−１９９３で規定されているワイプパターンである。各ワイプパターンの表記名は、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）２．０で使用されているものであり、ワイプコードは、ＳＭＰＴＥ  ２５８Ｍ−１９９３のコードである。
１次変換表は、或る映像に対して施す特殊効果（原特殊効果）と標準として指定されている特殊効果の中から選択され当該原特殊効果が映像を再生する装置に実装されていない場合に代替として使用される特殊効果（代替特殊効果）との対応表である。１次変換表は、画像データを編集する編集者が作成して後述するように画像データに付加してもよく、あるいは、編集装置に規定値表として装備して編集装置が画像データに付加するようにしてもよい。
【００３４】
例えば、図３では、図２を参照して、原特殊効果がバーワイプのトップトゥボトムである場合には、代替特殊効果としてバーワイプのトップトゥボトムが選択され、ボックスワイプのトップレフトである場合には代替特殊効果としてボックスワイプのトップレフトが選択され、ボックスワイプのトップライトである場合には代替特殊効果としてボックスワイプのトップライトが選択され、ボックスワイプのトップセンタ（ＴｏｐＣｅｎｔｅｒ）である場合には代替特殊効果としてボックスワイプのトップレフトが選択され、ボックスワイプのボトムセンタ（ＢｏｔｔｏｍＣｅｎｔｅｒ）である場合には代替特殊効果としてボックスワイプのトップライトが選択され、トライアングルワイプ（ＴｒｉａｎｇｌｅＷｉｐｅ）のアップ（Ｕｐ）である場合には、代替特殊効果としてアイリスワイプのレクトアングルが選択され、トライアングルワイプのライトである場合には、代替特殊効果としてアイリスワイプのダイヤモンドが選択され、トライアングルワイプ（ＴｒｉａｎｇｌｅＷｉｐｅ）のレフトである場合には、代替特殊効果としてアイリスワイプのダイヤモンドが選択され、そして、トライアングルワイプ（ＴｒｉａｎｇｌｅＷｉｐｅ）のダウン（Ｄｏｗｎ）である場合には、代替特殊効果としてアイリスワイプのダイヤモンドが選択される。
【００３５】
図１に戻って、１次変換表付加処理部１９は、編集データ格納部１６から編集データを読み取り、これに１次変換表を付加して再び編集データ格納部１６に格納する。
【００３６】
再生条件設定部１４は、画像再生部１３で扱うことができる各特殊効果の有効・無効を設定する。特殊効果の有効・無効を切り替えることで、編集結果を確認することができる。再生条件設定部１４は、画像再生部１３およびデータ出力部２０に接続される。
【００３７】
データ出力部２０は、編集後の画像データを外部の記録媒体に記録する部分である。そして、編集後の画像データが外部参照形式である場合には、外部参照される原画像データと特殊効果指示データを繋ぎ合わせ１個のデータにする。
【００３８】
次に、画像再生部１３について説明する。
【００３９】
図４は、第１の実施形態における画像再生部の構成を示す図である。
【００４０】
図４において、画像再生部１３は、入力データインターフェース３１、入力データ解析部３２、１次変換表格納部３３、特殊効果指示格納部３５、１次変換部３６、画像データ復号部３８、第１画像メモリ３９、第２画像メモリ４０、特殊効果処理部４１、画像出力部４２および再生条件格納部４４を備えて構成される。
【００４１】
入力データインターフェース３１は、ＣＤ−ＲＯＭやＤＶＤなどの記録媒体から記録されているデータを読み出して入力データ解析部３２に出力する装置であり、例えば、ＣＤ−ＲＯＭドライブやＤＶＤドライブなどである。
【００４２】
入力データ解析部３２は、入力データをそのデータの内容により弁別する回路であり、１次変換表格納部３３、特殊効果指示格納部３５および画像データ復号部３８にそれぞれ接続される。
【００４３】
１次変換表格納部３３は、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）のような消去可能な読み出し専用メモリであり、１次変換部３６に接続される。
【００４４】
特殊効果指示格納部３５は、データを記憶する記憶手段、例えばＲＡＭであり、１次変換部３６および特殊効果処理部４１に接続される。
【００４５】
画像データ復号部３８は、入力された画像データを復号する回路であり、第１画像メモリ３９および第２画像メモリ４０に接続される。
【００４６】
第１画像メモリ３９および第２画像メモリ４０は、特殊効果処理部４１に接続され、特殊効果処理部４１で利用される画像（合成すべき画像）をそれぞれ記憶するメモリである。
【００４７】
一方、１次変換部３６は、この再生装置における特殊効果の実装の状況および１次変換表に従って、特殊効果指示データを解析する。１次変換部３６は、特殊効果処理部４１に接続される。
【００４８】
特殊効果処理部４１は、特殊効果指示データに従って画像データに特殊効果を施し、画像出力部４２に出力する。
【００４９】
画像出力部４２は、特殊効果を施された画像データを表示装置にあった信号に変換して出力する。
【００５０】
次に、第１の実施形態における編集装置の動作について説明する。
【００５１】
図５は、第１の実施形態における編集装置の動作を示すフローチャートである。
【００５２】
図５において、編集者は、編集装置の操作部１８を介して編集操作を選択する（Ｓ１１）。
【００５３】
編集装置は、選択された操作が映像データ入力である場合には映像データ入力ルーチンを実行してＳ１１に戻り（Ｓ２１）、選択された操作が映像データ入力でない場合にはＳ１３を実行する（Ｓ１２）。
【００５４】
Ｓ１３において、編集装置は、選択された操作が１次変換表編集である場合には１次変換表作成・編集ルーチンを実行してＳ１１に戻り（Ｓ２２）、選択された操作が１次変換表編集でない場合にはＳ１４を実行する。
【００５５】
Ｓ１４において、編集装置は、選択された操作が動画編集である場合には動画の編集を行ってＳ１１に戻り（Ｓ２３）、選択された操作が動画編集でない場合にはＳ１５を実行する。
【００５６】
Ｓ１５において、編集装置は、選択された操作が１次変換表付加である場合には１次変換表作成付加ルーチンを実行してＳ１１に戻り（Ｓ２４）、選択された操作が１次変換表付加でない場合にはＳ１６を実行する。
【００５７】
Ｓ１６において、編集装置は、選択された操作が設定変更である場合には再生装置の設定を変更してＳ１１に戻り（Ｓ２５）、選択された操作が設定変更でない場合にはＳ１７を実行する。
【００５８】
Ｓ１７において、編集装置は、選択された操作が再生である場合には映像データの指定・再生を実行してＳ１１に戻り（Ｓ２６）、選択された操作が再生でない場合にはＳ１８を実行する。
【００５９】
Ｓ１８において、編集装置は、選択された操作が映像データ出力である場合にはデータ出力ルーチンを実行してＳ１１に戻り（Ｓ２７）、選択された操作が映像データ出力でない場合にはＳ１９を実行する。
【００６０】
Ｓ１９において、編集装置は、選択された操作が操作終了である場合には動作プログラムの実行を終了し、選択された操作が捜査終了でない場合にはＳ１１に戻る。
【００６１】
次に、各サブルーチンについて説明する。
【００６２】
図６は、第１の実施形態における映像データ入力ルーチンのフローチャートである。
【００６３】
図６において、編集者が、操作部１８を介して編集を行う映像データを指定すると（Ｓ１０１）、データ入力部１１は、指定された映像データを読み込む（Ｓ１０２）。
【００６４】
次に、データ入力部１１は、映像データのフォーマットを識別する。データ入力部１１は、フォーマットの種類が非破壊編集をすることができる形式、例えば、ＱＴのファイルである場合には、Ｓ１０４の処理を行い、当該形式ではない場合には、エラーコードを出力してメインルーチンに戻る（Ｓ１１０）。
【００６５】
次に、Ｓ１０４において、データ入力部１１は、読み込んだ映像データの有無を判断し、読み込んだ映像データが有る場合には、Ｓ１０５を実行し、読み込んだ映像データが無くなった場合には、メインルーチンに戻る（Ｓ１１１）。
【００６６】
次に、Ｓ１０５において、データ入力部１１は、読み込んだ映像データを所定の部分ごとにその部分の映像データの内容を判断する。そして、判断の結果、データ入力部１１は、１次変換表ではない場合にはＳ１０６を実行し、１次変換表である場合には、当該部分の映像データを１次変換表格納部２２に格納した後にＳ１０４に戻る（Ｓ１１２）。
【００６７】
次に、Ｓ１０６において、データ入力部１１は、読み込んだ映像データにおける次の部分の内容を判断する。そして、判断の結果、データ入力部１１は、特殊効果指示ではない場合にはＳ１０７を実行し、特殊効果指示である場合には、当該部分の映像データを特殊効果とその特殊効果が施される動画データとの対応関係が分かるように一覧表形式のデータとして１次変換表格納部２２に格納した後にＳ１０４に戻る（Ｓ１１３）。
【００６８】
次に、Ｓ１０７において、データ入力部１１は、この編集装置で扱うことができるフォーマットやコードであるか否か判断する。そして、判断の結果、フォーマットやコードが取り扱うことのできない形式の場合にはＳ１０８を実行し、取り扱うことのできる場合には、当該部分の動画データを入力データ格納部１２に格納した後にＳ１０４に戻る（Ｓ１１４）。
【００６９】
Ｓ１０８では、データ入力部１１は、動画データのフォーマットやコードを編集装置が扱うことができる形式に変換した後に、変換後の動画データを入力データ格納部１２に格納してＳ１０４に戻る（Ｓ１１４）。
【００７０】
次に、１次変換表作成・編集ルーチンについて説明する。
【００７１】
図７は、第１の実施形態における１次変換表作成・編集ルーチンのフローチャートである。
【００７２】
図７において、１次変換表編集部２１は、１次変換表格納部２２に１次変換表が格納されている場合には、当該１次変換表を読み込む（Ｓ１２１）。
【００７３】
次に、１次変換表編集部２１は、特殊効果指示を示す一覧データが１次変換表格納部２２に有るか否かを判断する（Ｓ１２２）。１次変換表編集部２１は、当該一覧データがある場合には一覧データを１次変換表表示部２３を利用して表示した後にＳ１２３を実行し、一覧データがない場合にはＳ１２３を実行する。
【００７４】
次に、編集者が１次変換表の編集操作を指示すると、１次変換表編集部２１は、操作部１８を介して該指示を受ける（Ｓ１２３）。
【００７５】
次に、１次変換表編集部２１は、指示内容を判断する（Ｓ１２４）。判断の結果、１次変換表編集部２１は、１次変換表の新規作成である場合には１次変換表格納部２２に記憶領域を確保した後にＳ１２３に戻る（Ｓ１３２）。一方、１次変換表編集部２１は、新規作成ではない場合にはＳ１２５を実行する。
【００７６】
次に、Ｓ１２５において、１次変換表編集部２１は、指示内容が項目の追加であるか否かを判断する。判断の結果、１次変換表編集部２１は、１次変換表のレコードの追加（特殊効果とその代替との対応を示す行の追加）である場合には、追加する項目の内容の入力を要求し（Ｓ１３３）、操作部１８を介して入力された項目を１次変換表に追加した後にＳ１２３に戻る（Ｓ１３４）。一方、１次変換表編集部２１は、項目追加ではない場合にはＳ１２６を実行する。
【００７７】
次に、Ｓ１２６において、１次変換表編集部２１は、指示内容が項目の削除であるか否かを判断する。判断の結果、１次変換表編集部２１は、１次変換表のレコードの削除（特殊効果とその代替との対応を示す行の削除）である場合には、削除する項目の内容の入力を要求し（Ｓ１３５）、操作部１８を介して入力された項目を１次変換表から削除した後にＳ１２３に戻る（Ｓ１３６）。一方、１次変換表編集部２１は、項目削除ではない場合にはＳ１２７を実行する。
【００７８】
次に、Ｓ１２７において、１次変換表編集部２１は、指示内容が項目の変更であるか否かを判断する。判断の結果、１次変換表編集部２１は、１次変換表のレコード内容の変更（特殊効果とその代替との対応関係の変更）である場合には、まず変更する項目の入力を要求する。（Ｓ１３７）、次に、変更する項目の内容の入力を要求する（Ｓ１３８）。そして、操作部１８を介して入力された項目・内容に基づいて１次変換表の項目を変更した後にＳ１２３に戻る（Ｓ１３９）。一方、１次変換表編集部２１は、項目変更ではない場合にはＳ１２８を実行する。
【００７９】
次に、Ｓ１２８において、１次変換表編集部２１は、指示内容が編集操作の終了であるか否かを判断する。判断の結果、１次変換表編集部２１は、編集操作の終了である場合にはメインルーチンに戻り（Ｓ１２９）、終了ではない場合にはＳ１２３に戻る。
【００８０】
次に、動画編集示ルーチンについて説明する。
【００８１】
図８は、第１の実施形態における動画編集ルーチンのフローチャートである。
【００８２】
図８において、編集者が編集操作を選択すると、データ編集部１５は、編集内容を要求する（Ｓ１４１）。
【００８３】
次に、データ編集部１５は、編集内容が特殊効果の付加であるか否かを判断する（Ｓ１４２）。判断の結果、特殊効果の付加でない場合には、データ編集部１５は、Ｓ１４３を実行する。一方、特殊効果の付加である場合には、施すべき特殊効果の選択を編集者に要求する（Ｓ１５１）。次に、データ編集部１５は、当該特殊効果を施すべき動画データの選択を編集者に要求する（Ｓ１５２）。次に、データ編集部１５は、施すべき特殊効果に設定すべきパラメータがある場合にはパラメータを編集者に要求する（Ｓ１５３）。パラメータは、例えば、特殊効果の色、形および方向などである。次に、データ編集部１５は、特殊効果を施す開始時間を編集者に要求する（Ｓ１５４）。次に、データ編集部１５は、施す特殊効果を終了する終了時間を編集者に要求する（Ｓ１５５）。次に、データ編集部１５は、Ｓ１５９の処理、すなわち、入力された各データに基づいて編集データを作成する。そして、データ編集部１５は、Ｓ１４１の処理に戻る。
【００８４】
一方、Ｓ１４３において、データ編集部１５は、編集内容が映像のカットであるか否かを判断する。判断の結果、映像のカットではない場合には、データ編集部１５は、Ｓ１４４を実行し、映像のカットである場合には、映像のカット／コピーの処理を行った後にＳ１５９を実行する（Ｓ１５６）。
【００８５】
次に、Ｓ１４４において、データ編集部１５は、編集内容が映像のペーストであるか否かを判断する。判断の結果、映像のペーストではない場合には、データ編集部１５は、Ｓ１４５を実行し、映像のペーストである場合には、映像のペーストの処理を行った後にＳ１５９を実行する（Ｓ１５７）。
【００８６】
次に、Ｓ１４５において、データ編集部１５は、編集内容が映像の並べ替えであるか否かを判断する。判断の結果、映像の並べ替えではない場合には、データ編集部１５は、Ｓ１４６を実行し、映像の並べ替えである場合には、映像の並べ替えの処理を行った後にＳ１５９を実行する（Ｓ１５８）。
【００８７】
次に、Ｓ１４６において、データ編集部１２は、指示内容が動画編集操作の終了であるか否かを判断する。判断の結果、データ編集部１２は、付加操作の終了である場合にはメインルーチンに戻り（Ｓ１４７）、終了ではない場合にはＳ１４１に戻る。
【００８８】
次に、１次変換表付加ルーチンについて説明する。
【００８９】
図９は、第１の実施形態における１次変換表付加ルーチンのフローチャートである。
【００９０】
図９において、１次変換表付加処理部１９は、１次変換表格納部２２から１次変換表を読み込む（Ｓ１６１）。
【００９１】
次に、１次変換表付加処理部１９は、読み込んだ１次変換表に不備がないか否か調べる（Ｓ１６２）。１次変換表付加処理部１９は、不備がある場合には、エラーを出力した後に（Ｓ１６８）、Ｓ１６７の処理、すなわち、メインルーチンに戻る。一方、１次変換表付加処理部１９は、不備がない場合には、Ｓ１６３の処理を行う。
【００９２】
ここで、１次変換表の不備は、例えば、ある特殊効果を使って画像データを編集してあるにも関わらず、その特殊効果に対する代替の標準化された特殊効果の指定がされていないこと、などがある。
【００９３】
次に、１次変換表付加処理部１９は、１次変換表を動画データと同じデータ形式に変換する。例えば、動画データがＱＴのフォーマットである場合には、１次変換表の実データからデータ・アトムを作成し、このデータ・アトムを管理するリソース・アトムを作成する。
【００９４】
次に、１次変換表付加処理部１９は、編集データ格納部１６から編集された動画データを読み込む（Ｓ１６４）。
【００９５】
次に、１次変換表付加処理部１９は、編集者に操作部１８を介して１次変換表が有効となる動画データの範囲を指定させる（Ｓ１６５）。
【００９６】
１次変換表が適用される有効範囲の指定は、例えば、ＱＴを利用する場合には、
エディット・リスト・アトムとタイム・トゥ・サンプル・アトムに情報を持たせることで指定する。
【００９７】
次に、１次変換表付加処理部１９は、データ形式を合わせた１次変換表を動画データに付加した後に、編集データ格納部１６に記憶させ（Ｓ１６６）、メインルーチンに戻る（Ｓ１６７）。
【００９８】
次に、データ出力ルーチンについて説明する。
【００９９】
図１０は、第１の実施形態におけるデータ出力ルーチンのフローチャートである。
【０１００】
図１０において、データ出力部２０は、編集データ格納部１６から映像データを読み込む（Ｓ１７１）。
【０１０１】
次に、データ出力部２０は、読み込んだ映像データに１次変換表が付加されているか否かを判断する。そして、データ出力部２０は、１次変換表が付加されている場合には、Ｓ１７３を実行し、１次変換表が付加されていない場合には、１次変換表の付加を要求して（Ｓ１７９）、Ｓ１７８の処理、すなわち、メインルーチンに戻る。
【０１０２】
Ｓ１７３において、データ出力部２０は、編集者に映像データの出力先を指定するように要求する。出力先としては、例えば、ディスクメディアやハードディスク上のファイルなどがある。
【０１０３】
次に、データ出力部２０は、映像データが外部参照形式になっているか否かを判断する（Ｓ１７４）。データ出力部２０は、外部参照形式になっている場合には、Ｓ１７５の処理を行い、外部参照形式ではなく自己内包形式になっている場合には、そのままデータを出力する（Ｓ１７７）。
【０１０４】
Ｓ１７５において、データ出力部２０は、編集者が映像データの変換を許可したか否かを判断する。判断の結果、データ出力部２０は、許可があった場合には、映像データを変換しながら出力し（Ｓ１７６、Ｓ１７７）、許可がない場合には、そのままデータを出力する（Ｓ１７７）。
【０１０５】
ここで、映像データの変換は、例えば、外部参照形式から自己内包形式に変換する。
【０１０６】
そして、データ出力部２０は、処理をメインルーチンに戻す（Ｓ１７８）。
【０１０７】
このようにして編集装置によって特殊効果を施された映像データは、例えば、ＱＴのファイル形式の場合には、図１１のように構成される。
【０１０８】
図１１は、映像データの一構成例を示す図である。
【０１０９】
図１１において、映像データは、ＱＴのファイル形式であり、実データを収容するデータ・アトム１５２とデータ・アトム１５２を管理するリソース・アトム１５１とを備えて構成される。
【０１１０】
データ・アトム１５２は、ＱＴのフォーマットで、１次変換表データ１６６、ビデオデータ１６７、オーディオデータ１６８および特殊効果データ１６９の各実データを備えて構成される。
【０１１１】
リソース・アトム１５１は、ＱＴのフォーマットで、データ・アトムの各実データに合わせて、各実データを管理する各トラック・アトム（トラック・アトム（１次変換表）１６１、トラック・アトム（ビデオ）１６２、トラック・アトム（オーディオ）１６３およびトラック・アトム（特殊効果）１６４）を備えて構成される。なお、各トラック・アトムには、各アトムによって管理されるデータの種別を区別するために、例えば、フラグが備えられる。例えば、フラグが１の場合には、該データが１次変換表であることを示し、フラグが２の場合には、該データが映像データ１２２であることを示し、そして、フラグが３の場合には、該データが特殊効果指示データ１２３であることを示す。
【０１１２】
そして、映像データは、伝送路で伝送されたり、記録媒体に記録されたりして、再生装置に供給される。
【０１１３】
次に、再生装置について説明する。
【０１１４】
図１２は、本実施形態にかかる再生装置の構成を示すブロック図である。
【０１１５】
図１２において、再生装置は、入力データインターフェース１０１、入力データ解析部１０２、１次変換表格納部１０３、２次変換表格納部１０４、特殊効果指示格納部１０５、１次変換部１０６、２次変換部１０７、画像データ復号部１０８、第１画像メモリ１０９、第２画像メモリ１１０、特殊効果処理部１１１、画像出力部１１２および制御回路１１３を備えて構成される。これら各部は、電子回路で構成される。
【０１１６】
入力データインターフェース１０１は、ＣＤ−ＲＯＭやＤＶＤなどの記録媒体から記録されているデータを読み出して入力データ解析部１０２に出力する装置であり、例えば、ＣＤ−ＲＯＭドライブやＤＶＤドライブなどである。
【０１１７】
入力データ解析部１０２は、入力データをそのデータの内容により弁別する回路であり、１次変換表格納部１０３、特殊効果指示格納部１０５および画像データ復号部１０８にそれぞれ接続される。
【０１１８】
１次変換表格納部１０３は、ＥＥＰＲＯＭのような消去可能な読み出し専用メモリであり、１次変換部１０６に接続される。
【０１１９】
特殊効果指示格納部１０５は、データを記憶する記憶手段、例えばＲＡＭであり、１次変換部１０６および特殊効果処理部１１１に接続される。
【０１２０】
画像データ復号部１０８は、入力された画像データを復号する回路であり、第１画像メモリ１０９および第２画像メモリ１１０に接続される。
【０１２１】
第１画像メモリ１０９および第２画像メモリ１１０は、特殊効果処理部１１１に接続され、特殊効果処理部１１１で利用される画像（合成すべき画像）をそれぞれ記憶するメモリである。
【０１２２】
一方、１次変換部１０６は、この再生装置における特殊効果の実装の状況および１次変換表に従って、特殊効果指示データを解析する。１次変換部１０６は、２次変換部１０７および特殊効果処理部１１１に接続される。
【０１２３】
２次変換表格納部１０４は、ＥＥＰＲＯＭのような消去可能な読み出し専用メモリであり、２次変換部１０６に接続される。
【０１２４】
２次変換部１０７は、この再生装置における特殊効果の実装の状況および２次変換表に従って、１次変換部１０６の出力を解析する。２次変換部１０７は、特殊効果処理部１１１に接続される。
【０１２５】
特殊効果処理部１１１は、特殊効果指示データに従って画像データに特殊効果を施し、画像出力部１１２に出力する。
【０１２６】
画像出力部１１２は、特殊効果を施された画像データを表示装置にあった信号に変換して出力する。
【０１２７】
そして、これら入力データインターフェース１０１、入力データ解析部１０２、１次変換格納部１０３、２次変換格納部１０４、特殊効果指示格納部１０５、１次変換部１０６、２次変換部１０７、画像データ復号部１０８、第１画像メモリ１０９、第２画像メモリ１１０、特殊効果処理部１１１および画像出力部１１２は、制御回路１１３によってその動作が制御される。
【０１２８】
次に、再生装置の動作について説明する。
【０１２９】
図１３は、再生装置の動作を示すフローチャートである。
【０１３０】
図１３において、制御回路１１３は、入力データインターフェース１０１を介して映像データを読み込む（Ｓ２０１）。
【０１３１】
次に、制御回路１１３は、入力データ解析部１０２を用いて映像データを解析させる（Ｓ２０２）。
【０１３２】
入力データ解析部１０２は、例えば、上述のフラグを判別して、フラグが１の場合には、該データを１次変換表格納部１０３に出力する（Ｓ２０３）。そして、１次変換表格納部１０３は、該データを格納する（Ｓ２０４）。
【０１３３】
また、入力データ解析部１０２は、フラグが２の場合には、該データを画像データ復号部１０８に出力する（Ｓ２０５）。画像データ復号部１０８は、該データを復号（デコード）する（Ｓ２０６）。
【０１３４】
さらに、入力データ解析部１０２は、フラグが３の場合には、該データを特殊効果指示格納部１０５に出力する（Ｓ２０７）。特殊効果指示格納部１０５は、該データを格納する。
【０１３５】
次に、制御回路１１３は、１次変換部１０６を用いて特殊効果指示データを解析させる。１次変換部１０６は、施すべき特殊効果が当該再生装置に実装されているか否かを判断する（Ｓ２０８）。判断の結果、実装されている場合には、特殊効果を選択する（Ｓ２１２）。一方、実装されていない場合には、１次変換部１０６は、１次変換表格納部１０３の１次変換表を参照して、原特殊効果をこれに対応する代替特殊効果（１次変換特殊効果）に変換する（Ｓ２０９）。
【０１３６】
次に、制御回路１１３は、１次変換部１０６を用いて１次変換特殊効果を解析させる。１次変換部１０６は、施すべき１次変換特殊効果が当該再生装置に実装されているか否かを判断する（Ｓ２１０）。判断の結果、実装されている場合には、特殊効果を選択する（Ｓ２１２）。一方、実装されていない場合には、１次変換部１０６は、１次変換特殊効果を２次変換部１０７に出力する。
【０１３７】
次に、２次変換部１０７は、１次変換特殊効果を２次変換表格納部１０４の２次変換表を参照して、１次変換特殊効果をこれに対応する実装特殊効果（２次変換特殊効果）に変換し（Ｓ２１１）、Ｓ２１２を実行する。
【０１３８】
ここで、２次変換表について説明する。
【０１３９】
図１４は、第１の実施形態にかかる２次変換表の一例を示す図である。
【０１４０】
２次変換表は、或る映像に対して施す特殊効果（原特殊効果）とこの原特殊効果が映像を再生する装置に実装されていない場合に代替として使用される特殊効果であって再生装置に実装されている特殊効果（実装特殊効果）との対応表である。２次変換表は、規定値表として再生装置が標準装備する。
【０１４１】
例えば、第１の実施形態における再生装置には、実装する特殊効果としてワイプでは、バーワイプのトップトゥボトム、ボックスワイプのトップレフト、ボックスワイプのトップライトおよびアイリスワイプのレクトアングルを実装しているとする。
【０１４２】
この場合において、図１４では、図２を参照して、原特殊効果がバーワイプのレフトトゥライトである場合には実装されていないので実装特殊効果としてバーワイプのトップトゥボトムが代替され、バーワイプのトップトゥボトムである場合には実装されているので実装特殊効果としてバーワイプのトップトゥボトムが選択され、原特殊効果がボックスワイプのトップレフトである場合には実装されているので実装特殊効果としてボックスワイプのトップレフトが選択され、ボックスワイプのトップライトである場合には実装されているので実装特殊効果としてボックスワイプのトップライトが選択され、原特殊効果がボックスワイプのボトムレフトである場合には実装されていないので実装特殊効果としてボックスワイプのトップレフトが代替され、ボックスワイプのボトムライトである場合には実装されていないので実装特殊効果としてボックスワイプのトップライトが代替され、原特殊効果がアイリスワイプのレクトアングルである場合には実装されているので実装特殊効果としてアイリスワイプのレクトアングルが選択され、アイリスワイプのダイヤモンドである場合には実装されていないので実装特殊効果としてアイリスワイプのレクトアングルが代替される。もちろん、２次変換は、１次変換後に行われるから、２次変換表における原特殊効果は、標準特殊効果である。
【０１４３】
次に、制御回路１１３は、同時に処理すべき画像データおよび特殊効果指示データ（原特殊効果、１次変換特殊効果、あるいは、２次変換特殊効果）が準備できているか否かを判断する（Ｓ２１３）。
【０１４４】
判断の結果、画像データおよび特殊効果指示データが揃っていない場合には、揃うまでＳ２０１からＳ２１３を繰り返し、揃ったところで、特殊効果処理部１１１は、画像データに特殊効果を施して、画像出力部１１２に出力する。画像出力部１１２は、表示装置（不図示）に合わせて画像信号を出力し、特殊効果を施された映像が表示装置に再生され、処理がＳ２０１に戻る（Ｓ２１４）。
【０１４５】
このように第１の実施形態では、編集者がどのような特殊効果を用いたとしても１次変換表によって標準特殊効果に変換されるので、再生装置は、編集者が意図する特殊効果を識別することができる。そして、第１の実施形態にかかる再生装置は、２次変換表によって実装特殊効果に変換するので、少なくとも再生装置に実装されている特殊効果を実行しながら映像を再生することができる。
【０１４６】
なお、上述の説明では、１次変換表は、１連の映像データに対して１個の１次変換表であったが、１次変換表を複数個持たせることによって映像データの所定の区間ごとに切り替えるようにしてもよい。
【０１４７】
図１５は、複数の１次変換表を備える映像データの一例を示す図である。
【０１４８】
図１５において、上段から時間軸、映像データ、特殊効果指定および１次変換表データを示す。このように時間進行に伴って１連の映像データがあり、この映像データの部分部分に特殊効果−１、特殊効果−２、特殊効果−３、特殊効果−４および特殊効果−５が指定されている。そして、第１の１次変換表データ（Ｔｂｌ−１）は、特殊効果−１ないし特殊効果−３の範囲で使用されるように指定され、第２の１次変換表データ（Ｔｂｌ−２）は、特殊効果−４および特殊効果−５の範囲で使用されるように指定される。この指定は、例えば、ＱＴのファイル形式の場合では、１次変換表データのそれぞれの有効範囲をエディット・リスト・アトムとサンプル・トゥ・タイム・アトムに記述することで指定することができる。
【０１４９】
この場合において、特殊効果−１ないし特殊効果−３では、第１の１次変換表（Ｔｂｌ−１）が使用され、特殊効果−４および特殊効果−５では、第２の１次変換表が使用される。
【０１５０】
このように１連の映像データに対して複数の１次変換表を用意することによって、同じ原特殊効果に対して異なる代替特殊効果を割り当てることができ、画像の内容によって適切な特殊効果に代替させることができる。
【０１５１】
次に、編集装置の変形例としてデータ変換装置について説明する。
【０１５２】
上述では、特殊効果を施すなどの編集および１次変換表を付加することができる編集装置について説明したが、このデータ変換装置は、特殊効果を施した非破壊編集が可能な形式の映像データに１次変換表のみを付加する装置である。
【０１５３】
図１６は、データ変換装置の構成を示すブロック図である。
【０１５４】
図１６において、データ変換装置は、データ入力部１１、入力データ格納部１２、操作部１８、１次変換表付加処理部１９、データ出力部２０、１次変換表編集部２１、１次変換表格納部２２および１次変換表表示部２３を備えて構成される。
【０１５５】
操作部１８は、データ入力部１１、１次変換表付加処理部１９および１次変換表編集部２１にそれぞれ接続する。データ入力部１１は、入力データ格納部１２および１次変換表格納部２２に接続する。入力データ格納部１２は、１次変換表付加処理部１９に接続する。１次変換表編集部２１は、１次変換表格納部２２に接続する。１次変換表格納部２２は、１次変換表付加処理部１９および１次変換表表示部２３にそれぞれ接続される。１次変換表付加処理部１９は、データ出力部２０に接続される。ここで、各部の動作は、図１を用いて説明した編集装置における各部と同様であるので、その説明を省略する。
（第２の実施形態）
第１の実施形態は、１次変換表および２次変換表を用いて原特殊効果を１対１の対応で固定的に１次変換特殊効果に、さらに２次変換特殊効果に変換したが、第２の実施形態では、特殊効果をその種別によって階層構造とすることにより、実装状態に合わせて原特殊効果を柔軟に１次変換特殊効果に、さらに２次変換特殊効果に変換する実施形態である。
【０１５６】
第２の実施形態における編集装置は、第１の実施形態と同様であるのでその説明を省略する。
【０１５７】
そして、第２の実施形態における再生装置は、１次変換部１０６および２次変換部１０７の動作が異なる以外は、第１の実施形態と同様であるのでその説明を省略する。
【０１５８】
図１７は、第２の実施形態における特殊効果の階層的分類の一例を示す図である。
【０１５９】
図１８は、第２の実施形態における階層構造の１次変換表の一例を示す図である。
【０１６０】
図１９は、第２の実施形態における階層構造の２次変換表の一例を示す図である。
【０１６１】
図１７において、この例では、特殊効果は、最上位概念の階層としてフィルタ（Ｆｉｌｔｅｒ）とトランジッション（Ｔｒａｎｓｉｔｉｏｎ）とに分類される。トランジッションにおいて次の階層としてワイプ、クロスフェード（Ｃｒｏｓｓ  Ｆａｄｅ）などに分類される。ワイプにおいて次の階層としてエッジワイプ（Ｅｄｇｅ  Ｗｉｐｅ）、アイリスワイプ（Ｉｒｉｓ  Ｗｉｐｅ）などに分類される。なお、クロスフェードなどの次の階層については図１７では省略されている。エッジワイプにおいて次の階層としてバーワイプ、ボックスワイプなどに分類される。バーワイプにおいて次の階層としてレフトトゥライトおよびトップトゥボトムに分類される。ボックスワイプにおいて次の階層としてトップレフト、トップライト、ボトムレフトおよびボトムライトに分類される。また、アイリスワイプにおいて次の階層としてアイリスワイプなどに分類される。アイリスワイプにおいて次の階層としてレクトアングル、ダイヤモンドに分類される。
【０１６２】
一方、フィルタにおいて次の階層として色変化、画質変化などに分類される。色変化において次の階層としてグレイスケール（Ｇｒａｙ  Ｓｃａｌｅ）などに分類される。画質変換において次の階層としてシャープネス（Ｓｈａｒｐｎｅｓｓ）などに分類される。なお、グレイスケールおよびシャープネスの次の階層については図１７では省略されている。このような階層構造に分類されている特殊効果において、１次変換表の代替特殊効果は、或る階層（Ｔｙｐｅ）とこの階層に対して下位の階層（Ｓｕｂｔｙｐｅ）とに分けて指定することができる。
【０１６３】
図１８において、例えば、編集者が原特殊効果としてバーワイプのトップトゥボトムを指定する場合にトップトゥボトムがバーワイプの下位であるから、代替特殊効果として上位にバーワイプ（Ｔｙｐｅ＝ｂａｒＷｉｐｅ）を下位にトップトゥボトム（Ｓｕｂｔｙｐｅ＝ｔｏｐＴｏＢｏｔｔｏｍ）を指定することができる。また例えば、編集者が原特殊効果としてボックスワイプのトップレフトを指定する場合にトップレフトがボックスワイプの下位であるから、代替特殊効果として上位にボックスワイプ（Ｔｙｐｅ＝ｂｏｘＷｉｐｅ）を下位にトップレフト（Ｓｕｂｔｙｐｅ＝ｔｏｐＬｅｆｔ）を指定することができる。また例えば、編集者が原特殊効果としてボックスワイプのトップセンタ（ｂｏｘＷｉｐｅ  ｔｏｐＣｅｎｔｅｒ）を指定する場合にトップセンタが標準特殊効果ではないがボックスワイプの下位であるから、代替特殊効果として上位にボックスワイプ（Ｔｙｐｅ＝ｂｏｘＷｉｐｅ）を下位にトップレフト（Ｓｕｂｔｙｐｅ＝ｔｏｐＬｅｆｔ）を指定することができる。また例えば、編集者が原特殊効果としてトライアングルワイプのレフトを指定する場合に代替特殊効果として上位の特殊効果にアイリスワイプ（Ｔｙｐｅ＝ＩｒｉｓＷｉｐｅ）を指定し、下位を省略（Ｓｕｂｔｙｐｅ＝−）することができる。当該上位階層に属する下位階層の特殊効果の何れに代替させてもよい場合には、このように上位階層の特殊効果のみを指定し下位階層の特殊効果を省略することができる。
【０１６４】
そして、２次変換表は、原特殊効果（入力側）を階層構造で表し、原特殊効果に対応する実装特殊効果がない場合には、対応する実装特殊効果が有るまで原特殊効果を上位階層に辿るようにしている。したがって、２次変換表の最上位階層の原特殊効果に対応する実装特殊効果を割り当てる必要がある。
【０１６５】
第２の実施形態における再生装置には、実装する特殊効果としてワイプでは、バーワイプのレフトトゥライト、ボックスワイプのトップレフト、ボックスワイプのトップライトおよびクロスフェードを実装しているとする。
【０１６６】
この場合において、図１９では、図１７を参照して、原特殊効果がトランジッションである場合には実装特殊効果としてバーワイプのレフトトゥライトが指定され、原特殊効果がバーワイプのレフトトゥライトである場合には実装されているので実装特殊効果としてバーワイプのレフトトゥライトが選択され、原特殊効果がボックスワイプである場合には実装されていないので実装特殊効果としてボックスワイプのトップレフトが代替され、原特殊効果がボックスワイプのトップレフトである場合には実装されているので実装特殊効果としてボックスワイプのトップレフトが選択され、原特殊効果がボックスワイプのトップライトである場合には実装されているので実装特殊効果としてボックスワイプのトップライトが選択され、原特殊効果がアイリスワイプである場合には実装されていないので実装特殊効果としてクロスフェードが代替され、原特殊効果がアイリスワイプのレクトアングルである場合には実装されていないので実装特殊効果として特殊効果を施さないこと（ｎｏＥｆｆｅｃｔ）で代替される。
【０１６７】
また、原特殊効果がクロスフェードである場合には実装されているので実装特殊効果としてクロスフェードが選択され、原特殊効果が色変換のグレイスケールである場合には実装されているので実装特殊効果として色変換のグレイスケールが選択され、原特殊効果が画質変換のシャープネスである場合には実装されていないので実装特殊効果として特殊効果を施さないことで代替される。
【０１６８】
一方、原特殊効果がワイプ、エッジワイプ、バーワイプ、バーワイプのトップトゥボトム、ボックスワイプのボトムレフト、ボックスワイプのボトムライト、アイリスワイプのダイヤモンド、色変換および画質変換である場合には実装特殊効果の指定がない。その代わりに２次変換表における原特殊効果を階層構造とすることで、後述のようにすることにより上位階層の実装特殊効果で代替され得るようにしている。
【０１６９】
この２次変換表における原特殊効果の階層構造は、最上位階層が特殊効果であり、次の階層としてトランジッションおよびフィルタがある。トランジッションにおいて次の階層としてワイプおよびクロスフェードがある。ワイプにおいて次の階層としてエッジワイプおよびアイリスワイプがある。エッジワイプにおいて次の階層としてバーワイプおよびボックスワイプがある。そして、バーワイプにおいては次の階層としてレフトトゥライト、トップトゥボトムがあり、ボックスワイプにおいては次の階層としてトップレフト、トップライト、ボトムレフト、ボトムライトがある。一方、アイリスワイプにおいては次の階層としてアイリスワイプがあり、その次の階層としてレクトアングル、ダイヤモンドがある。
【０１７０】
そして、フィルタにおいては次の階層として色変換および画質変換があり、色変換では次の階層としてグレイスケールがあり、画質変換では次の階層としてシャープネスがある。すなわち、図１９に示す２次変換表の入力側は、図１７に示す標準特殊効果の階層構造と同じになっている。
【０１７１】
次に、第２の実施形態における再生装置の動作を説明するが、図１３に示すＳ２１１以外の動作は、第１の実施形態と同様であるので、その説明を省略する。以下に、Ｓ２１１に相当する第２の実施形態における２次変換部１０７の動作について説明する。
【０１７２】
図２０は、第２の実施形態における２次変換部の動作を示すフローチャートである。
【０１７３】
図２０において、２次変換部１０７は、１次変換部１０６から出力された１次変換特殊効果を２次変換表格納部１０４に格納されている２次変換表（図１９）を検索する（Ｓ３０１）。
【０１７４】
次に、２次変換部１０７は、１次変換特殊効果に対応する実装特殊効果を参照する（Ｓ３０２）。
【０１７５】
次に、参照の結果、２次変換部１０７は、実装特殊効果が指定されているか否かを判断する（Ｓ３０３）。
【０１７６】
判断の結果、実装特殊効果が「−」で指定されていない場合には、２次変換部１０７は、当該１次変換特殊効果の上位階層を選択して、新たな１次変換特殊効果とする（Ｓ３０５）。
【０１７７】
一方、判断の結果、実装特殊効果が指定されている場合には、２次変換部１０７は、対応する実装特殊効果を２次変換特殊効果として選択した後に（Ｓ３０４）、図１３に示すＳ２１２以降の処理を行う。
【０１７８】
２次変換部１０７の動作をより具体的に説明する。
【０１７９】
例えば、原特殊効果がアイリスワイプの場合には、対応する実装特殊効果としてクロスフェードが指定されているため、アイリスワイプはそのままクロスフェードに２次変換される。
【０１８０】
また例えば、原特殊効果がバーワイプのトップトゥボトムの場合には、これに対応する実装特殊効果が「−」で実装されていないため、バーワイプのトップトゥボトムの上位階層であるバーワイプに対応する実装特殊効果を参照する。参照の結果、バーワイプに対応する実装特殊効果も「−」で実装されていないため、さらにバーワイプの上位階層であるエッジワイプに対応する実装特殊効果を参照する。参照の結果、エッジワイプに対応する実装特殊効果も「−」で実装されていないため、さらにエッジワイプの上位階層であるワイプに対応する実装特殊効果を参照する。参照の結果、ワイプに対応する実装特殊効果も「−」で実装されていないため、さらにワイプの上位階層であるトランジッションに対応する実装特殊効果を参照する。参照の結果、トランジッションに対応する実装特殊効果としてバーワイプのレフトトゥライトが指定されているので、バーワイプのトップトゥボトムをバーワイプのレフトトゥライトに２次変換する。
【０１８１】
このように第２の実施形態にかかる再生装置では、編集者が当初意図した特殊効果を必要に応じて１次変換表および２次変換表を用いて変換するので、再生装置に実装されている特殊効果で映像データを再生することができる。そして、第２の実施形態における再生装置では、１次変換表および２次変換表に特殊効果を階層的に分類した階層構造を利用するので、すべての原特殊効果に標準特殊効果を割り当てる必要が必ずしも無く、さらに、標準特殊効果に代替特殊効果を割り当てる必要が必ずしもない。このため、編集者は、柔軟に標準特殊効果を割り当てることができ、再生装置の設計者などは、柔軟に代替特殊効果を割り当てることができる。
【０１８２】
なお、第１および第２の実施形態では、特殊効果のうちワイプを例に挙げたが、これに限定されるものではなく、任意の特殊効果に適用することができる。
【０１８３】
また、第１および第２の実施形態では、特殊効果について説明したが、本発明は、特殊効果の代わりにフォントに対しても適用可能である。すなわち、標準フォントを定義して、或る種類の原フォントを標準フォントに変換する１次変換表と、標準フォントを再生装置が実装しているフォントに代替する２次変換表とを用いることによって、再生装置は、テキストデータに当初指定されているフォントの種類や大きさにかかわらず再生表示することができる。
【０１８４】
【発明の効果】
以上のように、本発明では、共通規格として標準化された標準編集の種類に編集コードを変換する１次変換表を編集後の映像データに備えさせるので、編集後の映像データを再生する再生装置が実装する編集の種類を考慮することなく様々な編集の種類を用いて原映像データを編集することができる。
【０１８５】
また、本発明では、再生装置の機種の違いに応じて編集後の映像データを作成する必要もない。このため、編集後の映像データの配布や流通にかかるコストを低減することができる。
【０１８６】
そして、本発明では、編集者が当初意図した編集の種類が再生装置に実装されていない場合でも１次変換表を用いて標準編集の種類に変換することができる。さらに、１次変換した標準編集の種類が再生装置に実装されていない場合でも２次変換表を用いて実装されている実装編集の種類に２次変換することができる。このため、再生装置にはあらゆる編集の種類は言うに及ばず標準編集の種類さえも実装する必要がなく、実装編集の種類を柔軟に任意に決めることができる。
【図面の簡単な説明】
【図１】本実施形態にかかる編集装置の構成を示すブロック図である。
【図２】標準ワイプの一例を示す図である。
【図３】第１の実施形態における１次変換表の一例を示す図である。
【図４】第１の実施形態における画像再生部の構成を示す図である。
【図５】第１の実施形態における編集装置の動作を示すフローチャートである。
【図６】第１の実施形態における映像データ入力ルーチンのフローチャートである。
【図７】第１の実施形態における１次変換表作成・編集ルーチンのフローチャートである。
【図８】第１の実施形態における動画編集ルーチンのフローチャートである。
【図９】第１の実施形態における１次変換表付加ルーチンのフローチャートである。
【図１０】第１の実施形態におけるデータ出力ルーチンのフローチャートである。
【図１１】入力データの一構成例を示す図である
【図１２】第１の実施形態にかかる再生装置の構成を示すブロック図である。
【図１３】第１の実施形態にかかる再生装置の動作を示すフローチャートである。
【図１４】第１の実施形態にかかる２次変換表の一例を示す図である。
【図１５】複数の１次変換表を備える映像データの一例を示す図である。
【図１６】データ変換装置の構成を示すブロック図である。
【図１７】第２の実施形態における特殊効果の階層的分類の一例を示す図である。
【図１８】第２の実施形態における階層構造の１次変換表の一例を示す図である。
【図１９】第２の実施形態における階層構造の２次変換表の一例を示す図である。
【図２０】第２の実施形態における２次変換部の動作を示すフローチャートである。
【符号の説明】
１５  データ編集部
１６  編集データ格納部
１９  １次変換表付加処理部
２１  １次変換表編集部
２２、３３、１０３  １次変換表格納部
３２、１０２  入力データ解析部
３５、１０５  特殊効果指示格納部
３６、１０６  １次変換部
３８、１０８  画像データ復号部
４１、１１１  特殊効果処理部
１０４  ２次変換表格納部
１０７  ２次変換部
【図１】
0003601710.tif 000002
【図２】
0003601710.tif 000003
【図３】
0003601710.tif 000004
【図４】
0003601710.tif 000005
【図５】
0003601710.tif 000006
【図６】
0003601710.tif 000007
【図７】
0003601710.tif 000008
【図８】
0003601710.tif 000009
【図９】
0003601710.tif 000010
【図１０】
0003601710.tif 000011
【図１１】
0003601710.tif 000012
【図１２】
0003601710.tif 000013
【図１３】
0003601710.tif 000014
【図１４】
0003601710.tif 000015
【図１５】
0003601710.tif 000016
【図１６】
0003601710.tif 000017
【図１７】
0003601710.tif 000018
【図１８】
0003601710.tif 000019
【図１９】
0003601710.tif 000020
【図２０】
0003601710.tif 000021